(57)【要約】【課題】計量米びつと別体に設けられるアジャスタ等を使用することなく、計量米びつの上蓋を取り外さなくても外部から簡単な操作により普通米と無洗米との切り替えが行え、計量枡の回転動作にも支障のない無洗米対応計量米びつを提供する。【解決手段】上記課題を解決するために、本発明の無洗米対応計量米びつ１は精米Ｒを貯留しておくためのホッパ５と、定量ずつ精米Ｒを取り出すための定量取出し機構７と、取り出した所定分量の精米Ｒを受け取るための取出しトレー９とを備えており、このうち定量取出し機構７には回転軸２１の周りを所定の角度回転する計量枡２３が設けられており、計量枡２３には回転軸２１の軸方向に摺動し、普通米と無洗米とで計量枡２３内の容量を可変する容量可変アダプタ４７が出没自在に一体に設けられている。【選択図】        図３
2006346050.tif 000002
【特許請求の範囲】
【請求項１】
精米を貯留しておくためのホッパと、定量ずつ精米を取り出すための定量取出し機構とを備える計量米びつにおいて、前記定量取出し機構には回転軸の周りを所定の角度回転する計量枡が設けられており、該計量枡には回転軸の軸方向に摺動して、米研ぎを必要とする普通米と米研ぎを不要とする無洗米とで計量枡内の容量を可変する容量可変アダプタが出没自在に一体に設けられていることを特徴とする無洗米対応計量米びつ。
【請求項２】
請求項１に記載した無洗米対応計量米びつにおいて、前記容量可変アダプタは計量枡の回転軸と軸中心を同じくする円筒形状の部材であることを特徴とする無洗米対応計量米びつ。
【請求項３】
請求項１または２に記載した無洗米対応計量米びつにおいて、前記容量可変アダプタはケーシング外部から操作できるアダプタシフト機構によって駆動されることを特徴とする無洗米対応計量米びつ。
【請求項４】
請求項３に記載した無洗米対応計量米びつにおいて、前記アダプタシフト機構は、回動支点を中心に所定の角度回動する切替え操作レバーと、該切替え操作レバーの作用端において切替え操作レバーの回動に支障がない状態で接続される接続ピンと、接続ピンの一端に固定され容量可変アダプタと一体になって摺動する接続ブラケットとを備えていることを特徴とする無洗米対応計量米びつ。
【請求項５】
請求項４に記載した無洗米対応計量米びつにおいて、前記切替え操作レバーの作用端には切替え操作レバーの長手方向に延びる長穴が形成されており、該長穴に対して前記接続ピンが遊嵌状態で接続されていることを特徴とする無洗米対応計量米びつ。
【発明の詳細な説明】
【技術分野】
【０００１】
本発明は、定量ずつ精米を取り出すことのできる定量取出し機構を備える計量米びつに係り、特に普通米だけでなく無洗米にも対応できるように構成した無洗米対応計量米びつに関するものである。
【背景技術】
【０００２】
一般に炊飯にあたっては、炊飯に先立って米を研ぎ、米粒の表面に残存している米糠等を取り除くようにしている。このように炊飯に先立って米研ぎを必要とする米を本明細書において「普通米」と定義する。
一方、最近では、炊事の手間を極力少なくしたいという要望もあって、炊飯に先立って米研ぎを必要としない米が登場し普及してきている。このように炊飯に先立って米研ぎを必要としない米を本明細書において「無洗米」と定義する。
【０００３】
この無洗米を普通米専用の計量米びつに収容すると米糠が多く取り除かれている分、普通米より５％程度多い分量の米が取り出されてしまう。
従って普通米の時と同量の水で炊飯した場合には水不足となり少し硬めの飯に炊き上がってしまう。
そこで最近では下記の特許文献１に示すように普通米だけでなく無洗米にも対応した無洗米対応計量米びつが開発され、商品化されるようになっている。
【０００４】
この種の米びつは特許文献１に開示されているもののように、無洗米に対応するためのアジャスタを備えている。このアジャスタは計量米びつとは別体の附属品であり、このアジャスタを計量米びつの定量取出し機構に所定箇所に着脱することによって、普通米に対応する状態と無洗米に対応する状態とに切り替えるようにしている。
【０００５】
しかしながら、アジャスタを着脱する作業はかなり面倒である。特にシステムキッチンに組み込んだり、キッチン内の未使用の狭い空間にも設置できるようなスリムなタイプの計量米びつでは、上蓋を取り外して狭い上部開口から手を突っ込んでアジャスタを所定位置に取り付けることはほとんど不可能である。
また、場合によっては長期間使用しなかったアジャスタの保管場所が分からなくなったり、アジャスタの取り付け方を忘れてしまったりすることも考えられる。
【０００６】
さらに、定量取出し機構には回転軸の周りを所定の角度回転する計量枡が設けられており、普通米に対応する状態と無洗米に対応する状態とに切り替えるためには計量枡の容量を変更する必要がある。しかし、計量枡は上記のように米を計量する毎に回転するため、計量枡の容量を外部から操作して変更する機構は計量枡の回転に支障がないようにする必要性から複雑になってしまう問題がある。
【０００７】
【特許文献１】特開２００３−３８３６５号公報
【発明の開示】
【発明が解決しようとする課題】
【０００８】
本発明は、上記の背景技術及び背景技術が抱えていた問題点の存在を踏まえてなされたものであって、計量米びつと別体に設けられるアジャスタ等を使用することなく、計量米びつの上蓋を取り外さなくても外部から簡単な操作により普通米と無洗米との切り替えが行え、計量枡の回転動作にも支障のない無洗米対応計量米びつを提供することを課題とするものである。
【課題を解決するための手段】
【０００９】
上記課題を解決するために請求項１に記載した発明は、精米を貯留しておくためのホッパと、定量ずつ精米を取り出すための定量取出し機構とを備える計量米びつにおいて、前記定量取出し機構には回転軸の周りを所定の角度回転する計量枡が設けられており、該計量枡には回転軸の軸方向に摺動して、米研ぎを必要とする普通米と米研ぎを不要とする無洗米とで計量枡内の容量を可変する容量可変アダプタが出没自在に一体に設けられていることを特徴とする無洗米対応計量米びつである。
【００１０】
請求項２に記載した発明は、請求項１に記載した無洗米対応計量米びつにおいて、前記容量可変アダプタは計量枡の回転軸と軸中心を同じくする円筒形状の部材であることを特徴とする無洗米対応計量米びつである。
【００１１】
請求項３に記載した発明は、請求項１または２に記載した無洗米対応計量米びつにおいて、前記容量可変アダプタはケーシング外部から操作できるアダプタシフト機構によって駆動されることを特徴とする無洗米対応計量米びつである。
【００１２】
請求項４に記載した発明は、請求項３に記載した無洗米対応計量米びつにおいて、前記アダプタシフト機構は、回動支点を中心に所定の角度回動する切替え操作レバーと、該切替え操作レバーの作用端において切替え操作レバーの回動に支障がない状態で接続される接続ピンと、接続ピンの一端に固定され容量可変アダプタと一体になって摺動する接続ブラケットとを備えていることを特徴とする無洗米対応計量米びつである。
【００１３】
請求項５に記載した発明は、請求項４に記載した無洗米対応計量米びつにおいて、前記切替え操作レバーの作用端には切替え操作レバーの長手方向に延びる長穴が形成されており、該長穴に対して前記接続ピンが遊嵌状態で接続されていることを特徴とする無洗米対応計量米びつである。
【発明の効果】
【００１４】
本発明の無洗米対応計量米びつによれば、計量米びつの上蓋を取り外して狭い上部開口から手を突っ込んで取付位置を確認してアジャスタを取り付けるという面倒な作業は不要となる。
また容量可変アダプタを計量枡の回転軸の軸方向に摺動させ、計量枡の回転軸と軸中心を同じくする円筒形状に構成した場合には、計量枡の回転に何ら支障は生じない。
【発明を実施するための最良の形態】
【００１５】
以下、下記に示す実施の形態１を例に採って、本願発明に係る無洗米対応計量米びつ１について図面に基づいて具体的に説明する。
以下の説明ではシステムキッチンの一部である流し台、レンジ台及び各種の収納庫が一体に納められたキャビネット２の空きスペースに収納できる幅狭のスリムな形態のスライド式の無洗米対応計量米びつ１を例に採って説明する。
【００１６】
またこの種の無洗米対応計量米びつ１では前面にキャビネット２の外観を構成する化粧パネルＰが設けられることから、無洗米対応計量米びつ１の各種の操作レバーや計量された精米Ｒの取出口３３はケーシング３の側板に対して設けられることになる。
また図１中、符号Ｂで示す部材はキャビネット２側に設けられるガイド部材である。また符号Sで示す部材は無洗米対応計量米びつ１全体をキャビネット２から引き出すことのできるいわゆるフルオープンタイプのスライドレールである。
【００１７】
無洗米対応計量米びつ１は図１に示すように幅狭の直方体状のケーシング３の内部に精米Ｒを貯留しておくためのホッパ５と、定量ずつ精米Ｒを取り出すための定量取出し機構７と、取り出した所定分量の精米Ｒを受け取るための取出しトレー９とを備えている。
【００１８】
ケーシング３の上面は開放されていて、その上部開口には上蓋１１が着脱自在に取り付けられている。上蓋１１を取り外すと、その下方にはホッパ５が設けられている。ホッパ５はケーシング３の内部空間を上下に仕切る傾斜案内板１３によって形成されていて、傾斜案内板１３を含んだ上方空間がホッパ５となっている。
傾斜案内板１３はケーシング３の前後左右の内壁面から中心に向って下方に傾斜するように４枚設けられていて、その中心には矩形状の開口１７が設けられている。
【００１９】
そして開口１７の下方には定量取出し機構７が設けられている。定量取出し機構７は、前後の傾斜案内板１３と一体に設けられる保持ブラケット１５によって前後方向に水平に保持されているガイドドラム１９と、このガイドドラム１９に対して内嵌めされ、前後方向に延びる回転軸２１を中心にして所定の角度回転する計量枡２３と、計量枡２３を駆動する計量枡シフト機構２５とを備えている。
【００２０】
ガイドドラム１９は上面及び下面が開放された略円筒形状の部材でその上面開口部が上記ホッパ５の開口１７に接続され、下面開口部が計量枡２３によって計量された所定分量の精米Ｒの取出口２７となっている。
計量枡２３はガイドドラム１９に内嵌するガイドドラム１９より一回り小さな略円筒形状の部材である。そして計量枡２３にも図示しない開口部が設けられており、当該開口部がホッパ５の開口１７と合致した位置が精米Ｒの取込み位置、当該開口部がガイドドラム１９の取出口２７と合致した位置が精米Ｒの取出し位置となっている。
【００２１】
計量枡シフト機構２５はケーシング３の側板前方寄りに設けられる窓部２９に先端が臨み、ケーシング３の側板外方より操作できる取出し操作レバー３５と、該取出し操作レバー３５の回動基部３７に内嵌し、上記保持ブラケット１５に対して幅方向に水平に架け渡されている回動軸３９を有している。さらに、計量枡シフト機構２５は回動軸３９に対して装着され、常時取出し操作レバー３５を上向きに付勢しているトーションバネ４１と、回動基部３７に接続され回動基部３７を挟んで取出し操作レバー３５と反対側に位置する扇形駆動ギヤ４３と、扇形駆動ギヤ４３と噛み合い、計量枡２３の前端面に一体に取り付けられている従動ギヤ４５とを備えている。
【００２２】
そして取出し操作レバー３５をトーションバネ４１の付勢力に抗して下方に押し下げることによって扇形駆動ギヤ４３が回動軸３９を中心にして所定の角度回動し、扇形駆動ギヤ４３と噛み合う従動ギヤ４５にその回転が伝達されて計量枡２３を回転軸２１の周りに所定の角度回転させる。
これによりガイドドラム１９と計量枡２３との内部空間に収容されていた所定分量の精米Ｒがガイドドラム１９の取出口２７から下方の取出しトレー９上に取り出される。
取出しトレー９は上面が開口した容器状の部材で、その側面下部に設けられている引き手部３１を持ってケーシング３の側板下部に設けられている取出口３３から出し入れされる。
【００２３】
また無洗米対応計量米びつ１には普通米と無洗米とで取り出される精米Ｒの分量を可変する容量可変アダプタ４７と、該容量可変アダプタ４７を駆動するアダプタシフト機構７５とが設けられている。
容量可変アダプタ４７は計量枡２３の回転軸２１と軸中心を同じくする計量枡２３の内径より外径が小さな円筒形状の部材である。
容量可変アダプタ４７は計量枡２３の回転軸２１の軸方向に摺動し、計量枡２３内に進入して計量枡２３内の容量が小さくなった時が無洗米使用時の位置、計量枡２３内から退去して計量枡２３内の容量が大きくなった時が普通米使用時の位置となる。
【００２４】
アダプタシフト機構７５は回動支点４９を中心に所定の角度回動する切替え操作レバー５１と、該切替え操作レバー５１の作用端において切替え操作レバー５１の回動に支障がない状態で接続される接続ピン５３と、接続ピン５３の一端に固定され上記容量可変アダプタ４７と一体になって摺動する接続ブラケット５５とを備えている。
切替え操作レバー５１は平面形状が長円形を途中でヘの字状に屈曲させたような形状の平板状の部材である。この切替え操作レバー５１の中間付近の位置に上記回動支点４９が設けられている。
【００２５】
切替え操作レバー５１の操作端には丸棒状の操作つまみ５７が設けられている。この操作つまみ５７はケーシング３の側板に形成されているスリット５９を貫通し、スリット５９の外方に突出している切替え操作レバー５１の操作端と共にスリット５９の外方に位置するようになっている。
また切替え操作レバー５１の作用端には切替え操作レバー５１の長手方向に延びる長穴６１が形成されている。
この長穴６１は切替え操作レバー５１の回動に伴う作用半径の変化を吸収し、円滑な切替え操作レバー５１の回動を実行するために採られている構成である。
【００２６】
接続ピン５３は頭部と軸部とによって構成されており、軸部は段違い軸状に形成されている。この接続ピン５３の大径部６３が長穴６１に対して遊嵌状態で接続され、小径部６５には雄ネジが刻設されていて、次に述べる接続ブラケット５５に形成されているネジ穴７３及びナット６７等を使用して固定されている。
接続ブラケット５５は容量可変アダプタ４７と一体成形されている部材で側面視Ｌ字状をしている。この接続ブラケット５５の容量可変アダプタ４７と接合される部位は容量可変アダプタ４７の外径よりも直径の大きな円板状のフランジ部６９となっている。
【００２７】
フランジ部６９の中心には貫通穴７１が設けられており、計量枡２３の回転軸２１が容量可変アダプタ４７の中心と貫通穴７１を貫き、対向する位置にある保持ブラケット１５によって保持されるようになっている。
一方、接続ブラケット５５の接続ピン５３を介して切替え操作レバー５１の作用端に接続される部位は矩形平板状をしている。この矩形平板状の部位の中心には上述したネジ穴７３が設けられていて、接続ピン５３の小径部６５に刻設されている雄ネジと螺合するようになっている。
【００２８】
次にこのようにして構成される実施の形態１に係る無洗米対応計量米びつ１における（１）普通米使用時と、（２）無洗米使用時との操作手順と、容量可変アダプタ４７及びアダプタシフト機構７５の作動態様について説明する。
（１）普通米使用時（図６参照）
ホッパ５内に普通米を収容した場合には操作つまみ５７を持って図６に示すように切替え操作レバー５１の操作端を左側に回動させる。これにより切替え操作レバー５１は回動支点４９を中心にして図６中、時計回りに回動するようになり、切替え操作レバー５１の作用端は右側に移動する。
【００２９】
切替え操作レバー５１の作用端が右側に移動すると、長穴６１に嵌合している接続ピン５３も右側に移動し、接続ピン５３に固定されている接続ブラケット５５と容量可変アダプタ４７も一体になって右側に移動する。
この際、容量可変アダプタ４７は保持ブラケット１５等によって計量枡２３の回転軸２１の軸方向にのみ移動できるように規制されているから、接続ピン５３と接続ブラケット５５と容量可変アダプタ４７は一体になって直線的に移動する。
【００３０】
容量可変アダプタ４７が右側に移動すると、容量可変アダプタ４７は計量枡２３から退去した状態になり計量枡２３の容量が最大となり普通米の計量が可能な状態となる。
そして取出し操作レバー３５を下方に押し下げることによって計量枡２３を所定の角度回転させ、計量枡２３内の所定分量の普通米を取出しトレー９上に取り出す。
【００３１】
（２）無洗米使用時（図７参照）
一方、ホッパ５内に無洗米を収容した場合には操作つまみ５７を持って図７に示すように切替え操作レバー５１の操作端を右側に回動させる。これにより切替え操作レバー５１は回動支点４９を中心にして図７中、反時計回りに回動するようになり、切替え操作レバー５１の作用端は左側に移動する。
切替え操作レバー５１の作用端が左側に移動すると、長穴６１に嵌合している接続ピン５３も左側に移動し、接続ピン５３に固定されている接続ブラケット５５と容量可変アダプタ４７も一体になって左側に直線的に移動する。
【００３２】
容量可変アダプタ４７が左側に移動すると、容量可変アダプタ４７は計量枡２３内に進入した状態になり、進入した分、計量枡２３の容量が小さくなり無洗米の計量が可能な状態となる。
そして取出し操作レバー３５を下方に押し下げることによって計量枡２３を所定の角度回転させ、計量枡２３内の所定分量の無洗米を取出しトレー９上に取り出す。
【００３３】
上記のように容量可変アダプタ４７は計量枡２３の回転軸２１と軸中心を同じくする円筒形状の部材であり、回転軸２１の軸方向に摺動するので、容量可変アダプタ４７は計量枡２３の回転にはそもそも干渉しない。従って、容量可変アダプタ４７を計量枡２３の回転に追従させるための機構は不要である。よって、計量枡２３の容量を外部から操作して変更するための機構を比較的単純な構成で実現でき、コストのアップを極力抑えることが可能である。
尚、計量枡２３は回転軸２１に支持されており、容量可変アダプタ４７には支持されてはいないので、容量可変アダプタ４７の存在が定量取出し機構７の耐久性に悪影響を及ぼすことはない。
【００３４】
以上、本発明を実施するための最良の形態とその一例である実施の形態１について詳述してきたが、具体的な構成は上述した構成に限られるものではなく、本発明の要旨を逸脱しない範囲内における設計の変更などがあっても本発明に含まれる。
例えば、本発明の無洗米対応計量米びつは、システムキッチンのキャビネット内に組み込まれないで独立して据え置きされるタイプの無洗米対応計量米びつに適用できるのは勿論である。
さらに、システムキッチンのキャビネット内に組み込まれるタイプでスライドして出入されないタイプの無洗米対応計量米びつに本発明を適用してもよいのは勿論である。
また、本発明の無洗米対応計量米びつ１はシステムキッチンのキャビネット２内に組み込まれる幅狭のスリムなタイプの無洗米対応計量米びつ１に限らず、ケーシング３の前面に取出し操作レバー３５の窓部２９と、取出しトレー９の取出口３３とを備える幅広タイプの無洗米対応計量米びつに適用できるのは勿論である。
【００３５】
幅広タイプの無洗米対応計量米びつ１に適用する場合には、適宜リンク機構等を追加することにより普通米と無洗米とを切り替える切替え操作レバー５１をケーシング３の前面側から操作できるようにすることも可能である。
切替え操作レバー５１の操作端に設けた長穴６１に代えて切替え操作レバー５１の回動に伴う作用半径の変化を吸収できるような大きな口径の円形の穴やリンク機構を設けることも可能である。また切替え操作レバー５１の回動に伴う作用半径の変化を吸収するための上記構成を接続ブラケット５５側に設けることも可能である。
【産業上の利用可能性】
【００３６】
本発明は普通米だけでなく無洗米にも対応できる無洗米対応計量米びつの製造分野等で利用でき、特にアジャスタを使用することなく普通米と無洗米との切り替えを外部から簡単に行うことができ、計量枡の回転動作に支障を与えないようにしたい場合に利用できる。
【図面の簡単な説明】
【００３７】
【図１】本発明の実施の形態１に係る無洗米対応計量米びつをシステムキッチンのキャビネットに取り付けた状態を示す斜視図である。
【図２】本発明の実施の形態１に係る無洗米対応計量米びつをシステムキッチンのキャビネットに取り付けた状態を示す側断面図である。
【図３】本発明の実施の形態１に係る無洗米対応計量米びつにおける計量枡シフト機構、容量可変アダプタ及びアダプタシフト機構が組み込まれた組立要素を示す側断面図（ａ）とアダプタシフト機構の背面図（ｂ）である。
【図４】本発明の実施の形態１に係る無洗米対応計量米びつにおける計量枡シフト機構を示す底面図である。
【図５】本発明の実施の形態１に係る無洗米対応計量米びつにおける容量可変アダプタ及びアダプタシフト機構を示す斜め上方からの斜視図である。
【図６】本発明の実施の形態１に係る無洗米対応計量米びつにおける容量可変アダプタ及びアダプタシフト機構を示す普通米使用時の平面図である。
【図７】本発明の実施の形態１に係る無洗米対応計量米びつにおける容量可変アダプタ及びアダプタシフト機構を示す無洗米使用時の平面図である。
【符号の説明】
【００３８】
１  無洗米対応計量米びつ            ２  キャビネット
３  ケーシング                      ５  ホッパ
７  定量取出し機構                  ９  取出しトレー
１１  上蓋                          １３  傾斜案内板
１５  保持ブラケット                １７  開口
１９  ガイドドラム                  ２１  回転軸
２３  計量枡                        ２５  計量枡シフト機構
２７  取出口（ガイドドラムの）      ２９  窓部
３１  引き手部                      ３３  取出口（取出しトレーの）
３５  取出し操作レバー              ３７  回動基部
３９  回動軸                        ４１  トーションバネ
４３  扇形駆動ギヤ                  ４５  従動ギヤ
４７  容量可変アダプタ              ４９  回動支点
５１  切替え操作レバー              ５３  接続ピン
５５  接続ブラケット                ５７  操作つまみ
５９  スリット                      ６１  長穴
６３  大径部                        ６５  小径部
６７  ナット                        ６９  フランジ部
７１  貫通穴                        ７３  ネジ穴
７５  アダプタシフト機構              Ｒ  精米
Ｐ  化粧パネル      Ｂ  ガイド部材      S  スライドレール
【図１】
2006346050.tif 000003
【図２】
2006346050.tif 000004
【図３】
2006346050.tif 000005
【図４】
2006346050.tif 000006
【図５】
2006346050.tif 000007
【図６】
2006346050.tif 000008
【図７】
2006346050.tif 000009